(57)【特許請求の範囲】
【請求項１】
中央局と、移動ユニットと、複数個の無線基地局とを含む通信システムにおいてデータを転送する方法において、
中央局は前記移動ユニットから、現に該移動ユニットと通信している無線基地局を識別する登録情報を受信し、
該登録情報を前記中央局に設けた登録データベースに蓄積し、
前記中央局は前記登録データベースに蓄積された前記登録情報により識別された無線基地局を使用して前記中央局から前記移動ユニットにデータを伝送する各段階を含み、
前記伝送する段階では、
前記中央局は、前記移動ユニットに前記中央局が転送を要求している応用ソフトに対する更新データを識別する発呼要求を送り、
前記中央局は、前記移動ユニットが前記要求された更新データを受信できるかどうかを示す確認信号を前記移動ユニットから受け取り、そして
前記中央局は、前記確認信号が前記移動ユニットが前記要求された更新データを受信できることを示した場合に前記要求された更新データを前記移動ユニットに転送するように構成された、データを転送する方法。
【請求項２】
前記登録情報を受信する段階は、前記移動ユニットから、前記移動ユニットの識別番号と、現に移動ユニットと交信している無線基地局と、前記移動ユニットと以前に交信していた無線基地局とを含む登録情報を受信するものである、請求項１の方法。
【請求項３】
さらに前記中央局から前記移動ユニットに前記登録情報が前記中央局により受信されたことを確認する確認情報を伝送する段階を含む、請求項１の方法。
【請求項４】
前記方法は、データを複数個の前記移動ユニットに転送するに先立って、データ転送のために複数個の移動ユニットの第１の組を選択し、前記移動ユニットの第１の組の各々に対する前記登録データベースの登録情報を含むバッチファイルを作成し、そして、前記バッチファイルの登録情報により識別される無線基地局を使用して前記バッチリストにリストされた第１の組の移動ユニットにデータを転送する段階を含む、請求項１の方法。
【請求項５】
データを前記第１の組の移動ユニットに転送する段階は、前記第１の組の移動ユニットに前記中央局が転送を要求しているデータを識別する発呼要求を送り、前記第１の組の移動ユニットから、各ユニットが前記要求されたデータを受信することができることを示す確認信号を送り返し、そして、前記各ユニットが前記要求されたデータを受信することができることを示す確認信号を送り返した前記第１の組の移動ユニットに、前記要求されたデータを転送するものである、請求項４の方法。
【請求項６】
さらに、移動ユニットが交信している無線基地局が変化したときに、該移動ユニットから再登録情報を受け取る段階を有する請求項１の方法。
【請求項７】
さらに、移動ユニットから、該移動ユニットが中央局への転送を要求していることを示すデータを識別する発呼要求を受け取り、前記移動ユニットに、前記中央局が前記要求されたデータを受け取れるかどうかを示す確認信号を送信し、そして、前記中央局が前記要求されたデータを受け取れることを示す確認信号を受信したときに、前記移動ユニットから前記要求されたデータを受け取る段階を含む請求項１の方法。
【請求項８】
さらに、前記移動ユニットから、前記更新された応用ソフトの現状に関する情報を提供する資源メッセージを受け取り、そして、前記資源メッセージが、前記応用ソフトの更新が正しく行われたことを示すかどうかを決定する段階を含んでいる請求項１の方法。
【請求項９】
前記応用ソフトが正しく更新されなかったときに前記更新データを前記移動ユニットに再転送する段階を含む請求項８の方法。
【請求項１０】
送信信号を送信及び受信する移動ユニットと、前記移動ユニットへ及びそれから送信信号を送受信する複数の無線基地局と、前記無線基地局の一つを経由して前記移動ユニットと交信する中央局と、を具備し、前記中央局は、現に前記無線ユニットと通信している無線基地局を識別する登録情報を蓄積する登録データベースと、そして前記登録データベースに蓄積された前記登録情報により識別された無線基地局を使用して前記移動ユニットにデータを伝送するための交換制御プロセッサとを有し、
前記交換制御プロセッサは、
前記移動ユニットに前記中央局が転送を要求している応用ソフトに対する更新データを識別する発呼要求を送る手段と、
前記移動ユニットが前記要求された更新データを受信できるかどうかを示す確認信号を前記移動ユニットから受け取る手段と、
前記確認信号が前記移動ユニットが前記要求された更新データを受信できることを示した場合に前記要求された更新データを前記移動ユニットに転送する手段とを含む、通信装置。
【請求項１１】
前記移動ユニットはさらに、前記移動ユニットの識別番号と、現に移動ユニットと交信している無線基地局と、前記移動ユニットと以前に交信していた無線基地局とを含む登録情報を送信するものである、請求項１０の装置。
【請求項１２】
前記通信装置は、データを複数個の前記移動ユニットに転送するものであり、前記交換制御プロセッサは、更に、データ転送のために複数個の移動ユニットの第１の組を選択する手段と、前記移動ユニットの第１の組の各々に対する前記登録データベースの登録情報を含むバッチファイルを作成する手段と、前記バッチファイルの登録情報により識別される無線基地局を使用して前記バッチリストにリストされた第１の組の移動ユニットにデータを転送する手段を含む、請求項１０の装置。
【請求項１３】
データを前記第１の組の移動ユニットに転送する手段は、前記第１の組の移動ユニットに前記中央局が転送を要求しているデータを識別する発呼要求を送り、前記第１の組の移動ユニットから、各ユニットが前記要求されたデータを受信することができることを示す確認信号を送り返し、そして、前記各ユニットが前記要求されたデータを受信することができることを示す確認信号を送り返した前記第１の組の移動ユニットに、前記要求されたデータを転送するものである、請求項１０の装置。
【請求項１４】
前記移動ユニットはさらに、移動ユニットが交信している無線基地局が変化したときに、該移動ユニットから再登録情報を受け取る手段を有する請求項１０の装置。
【請求項１５】
前記交換制御プロセッサはさらに、移動ユニットから、該移動ユニットが前記中央局への転送を要求していることを示すデータを識別する発呼要求を受け取る手段と、前記移動ユニットに前記中央局が前記要求されたデータを受け取れるかどうかを示す確認信号を送信する手段と、前記中央局が前記要求されたデータを受け取れることを示す確認信号を受信したときに前記移動ユニットから前記要求されたデータを受け取る手段とを含む請求項１０の装置。
【請求項１６】
前記移動ユニットへ転送されるデータは前記移動ユニットの応用ソフトに対する更新データであり、前記中央局はさらに、前記移動ユニットから、前記更新された応用ソフトの現状に関する情報を提供する資源メッセージを受け取る手段と、前記資源メッセージが前記応用ソフトの更新が正しく行われたことを示すかどうかを決定する手段とを含んでいる請求項１０の装置。
【請求項１７】
前記中央局は、前記応用ソフトが正しく更新されなかったときに前記データを前記移動ユニットに再転送する段階を含む請求項１６の装置。
【請求項１８】
さらに、前記移動ユニットと交信するためのネットワーク管理センタを含み、該ネットワーク管理センタは、前記移動ユニットから、該移動ユニットが転送を要求しているデータを識別する要求を受け取る手段と、前記確認信号が前記中央局が前記要求されたデータを受信できることを示したときに、前記要求されたデータを前記移動ユニットから前記中央局を経由して受け取る手段と、を含む請求項１０の装置。
【請求項１９】
中央局と、移動ユニットと、複数の無線基地局とを含んでいる移動通信システムにおいてデータを転送する方法において、
前記移動ユニットから、現に該移動ユニットと通信している無線基地局を識別する登録情報を該無線基地局を介して送信して前記中央局に設けた登録データベースに蓄え、
前記登録データベースに蓄積された前記登録情報により識別された無線基地局を使用して前記中央局から前記移動ユニットにデータを送信する各段階を含み、
前記伝送する段階では、
前記無線局は前記中央局から転送を要求している応用ソフトに関する更新データを識別する発呼要求を受け取り、
前記要求された更新データを受信できるかどうかを示す確認信号を前記中央局に送信し、そして
前記確認信号が前記移動ユニットが要求された更新データを受信できることを示した場合に前記要求された更新データを前記中央局から前記移動ユニットに送信する段階を含む、
データを転送する方法。
【請求項２０】
前記登録情報を送信する段階は、前記移動ユニットから、前記移動ユニットの識別番号と、現に移動ユニットと交信している無線基地局と、前記移動ユニットと以前に交信していた無線基地局とを含む登録情報を送信するものである、請求項１９の方法。
【請求項２１】
さらに前記登録情報が前記中央局により受信されたことを確認する確認情報を前記中央局から受信する段階を含む、請求項１９の方法。
【請求項２２】
中央局からデータを複数個の前記移動ユニットが受信するに先立って、データ転送のために複数個の移動ユニットの第１の組を選択し、前記移動ユニットの第１の組の各々に対する前記登録データベースの登録情報を含むバッチファイルを作成し、そして、前記バッチファイルの登録情報により識別される無線基地局を使用して前記バッチリストにリストされた第１の組の移動ユニットにデータを受信する段階を含む、請求項１９の方法。
【請求項２３】
データを前記第１の組の移動ユニットに受信する段階は、前記第１の組の移動ユニットに前記中央局が転送を要求しているデータを識別する発呼要求を受信し、前記第１の組の移動ユニットから、各ユニットが前記要求されたデータを受信することができることを示す確認信号を送り返し、そして、前記各ユニットが前記要求されたデータを受信することができることを示す確認信号を送り返した前記第１の組の移動ユニットに、前記要求されたデータを受信するものである、請求項２２の方法。
【請求項２４】
さらに、移動ユニットが交信している無線基地局が変化したときに、前記中央局に再登録情報を送信する段階を有する請求項１９の方法。
【請求項２５】
さらに、該移動ユニットが中央局への転送を要求していることを示すデータを識別する発呼要求を前記中央局へ送信し、前記中央局から前記移動ユニットに、前記中央局が前記要求されたデータを受け取れるかどうかを示す確認信号を受信し、そして、前記中央局が前記要求されたデータを受け取れることを示す確認信号を受信したときに、前記移動ユニットから前記中央局に前記要求されたデータを送信する段階を含む請求項１９の方法。
【請求項２６】
さらに、前記中央局へ、前記更新された応用ソフトの現状に関する情報を提供する資源メッセージを送信し、そして、前記資源メッセージが、前記応用ソフトの更新が正しく行われたことを示すかどうかを決定する段階を含んでいる請求項１９の方法。
【請求項２７】
前記応用ソフトが正しく更新されなかったときに前記データを前記移動ユニットに再受信する段階を含む請求項２６の方法。
【発明の詳細な説明】
発明の背景
発明の属する技術分野
本発明は無線ユニットの更新方法と装置に関する。より詳しくは、本発明は複数個の無線ユニットを同時に更新する方法及び装置に関する。
従来の技術
移動通信システム、空対地システムのような無線通信システムは周知であり広く使用されている。これらのシステムの多くは複雑な応用ソフトを有する無線ユニットを含んでいる。これらの無線ユニットは、改訂されたソフトが入手可能になった時、或いはシステムマネージャにより決定されるシステムパラメータの変更を反映するように更新されなければならない。
この更新手続きは特に空対地システムの場合に面倒である。このようなシステムでは、航空機は搭載された通信及び制御ユニットに関連した各種の複雑な応用ソフトを含んでいる。さらに、航空機は代表的には周期的に地上局に伝送すべき各種のデータも有する。航空機の応用ソフトを更新することは膨大な時間を要する。その上、更新は一時に航空機ごとに行われる。従って、大きい編成の航空機航空機に対する更新処理は時間を取り且つ費用がかさむ。空対地無線通信システムでの他の要件は、どの特定無線基地局が航空機の伝送範囲内にあるかを決定することである。この要件は地上局が任意の時点において航空機の特定の位置を知ることを必要とし、そのため極度のマッピングが必要となる。従って、多数の無線ユニットを能率的に更新できる無線通信システムを提供することが必要である。
発明の概要
本発明はデータファイルを地上交換局と複数の無線ユニットとの間で能率的に転送することができる装置及び方法を提供することを課題とする。
これらの課題及び利益を達成するために、本発明は、中央局、移動ユニット、及び複数個の無線基地局を含む。中央局は移動ユニットから、現に移動ユニットと通信している無線基地局を識別する登録情報を受信する。この登録情報は次に前記中央局に設けた登録データベースに蓄えられる。次にファイルが中央局から前記登録データベースに蓄積された登録情報により識別された無線基地局を使用して前記中央局から前記移動ユニットにデータを伝送する各段階を含み、
前記伝送する段階では、
前記中央局は、前記移動ユニットに前記中央局が転送を要求している応用ソフトに対する更新データを識別する発呼要求を送り、
前記中央局は、前記移動ユニットが前記要求された更新データを受信できるかどうかを示す確認信号を前記移動ユニットから受け取り、そして
前記中央局は、前記確認信号が、前記移動ユニットが前記要求された更新データを受信できることを示した場合に、前記要求された更新データを前記移動ユニットに転送する各副段階を含む、データを転送する方法及びこれを実現する装置を提供する。
上記の概説及び以下の詳細な説明は例示であり、請求項に記載された発明についてさらに説明する。
図面の詳細な説明
図１は本発明による無線通信システムのブロック図である。
図２は地上交換局により航空機ユニットを登録する方法を示すフロー図である。
図３はデータを地上交換局から航空機ユニットに伝送する方法を示すフロー図である。
図４は複数の航空機ユニットに搭載して応用ソフトを更新するのに使用されるバッチプロセスを示すフロー図である。
図５はデータを航空機から地上交換局又はネットワーク管理センタへのいずれかへ伝送するための伝送方法を例示する図である。
詳細な説明
Ａ．概説
本発明の装置及び方法はデータファイルを地上交換局と複数の移動無線ユニットとの間で能率的に転送する。各移動ユニットは無線基地局を介して地上交換局と交信する。各移動ユニットが通信している実際の無線基地局は、その無線ユニットが１つの位置から次に位置に移動するにつれて他の無線基地局に切り替わる。
地上交換局からデータを受け取るために、各移動ユニットは地上交換局に登録して、移動ユニットが現にどの無線基地局と通信しているかの情報を提供する。この情報は収集されて、各登録された移動ユニットに対する登録データベースを形成する。ファイルを伝送する前に、登録データベースが使用されてどの無線基地局がファイルを移動ユニットに転送するために使用されなければならないかを決定する。
Ｂ．システム構成
図１は本発明の無線通信装置１００のブロック図である。図１は空対地通信システムにおいて実施される装置１００を示すが、本発明は１つ以上の移動ユニットにサービスを提供する任意の移動無線通信システム内で使用できる。本発明の装置及び方法を利用するには、これらの移動ユニットが基地サーバ装置と通信できる搭載サーバ又は制御器を有するだけでよい。
図１に示したように、装置１００は地上交換局２００と、ネットワーク管理センタ３００と、無線基地局４００と、航空機ユニット５００と、公衆交換電話ネットワーク（ＰＳＴＮ）６００と、プライベートネットワーク７００とを具備している。地上交換局２００にはデジタルインターフェース２１０と、交換（スイッチング）制御プロセッサ（ＳＣＰ）２２０と、登録データベース２３０とを有する。航空機ユニット５００は無線機５１０と、通信ユニット５２０と、搭載サーバ５３０と、電話機５４０とを有する。航空機ユニット５００は好ましくは商業航空機に搭載されるが、無線通信装置及びデータを送受信できる適当な無線通信制御応用ソフトを有し、装置１００とともに使用できる任意の移動装置でよい。
地上交換局２００、ネットワーク管理センタ３００及び無線基地局４００は各々プライベートネットワーク７００に接続されている。従って、航空機ユニット５００は無線基地局４００及びプライベートネットワーク７００を介して地上交換局２００又はネットワーク管理センタ３００と交信できる。図１は唯一の航空機ユニット５００とそれに対応した基地局４００とを有するが、装置１００は好ましくは多数の区域を飛行している多数の航空機に仕える無線基地局４００を含むことができる。この場合に、装置１００はまた、各々が無線基地局４００のネットワークの地理的下位セットに仕える複数の地上交換局２００を含むことができる。地上交換局２００はまたＰＳＴＮ６００に結合されて、データ信号を基地局４００からＰＳＴＮ６００へま他はその逆に切り替えることができる。
地上交換局２００のデジタルインターフェース２１０は無線基地局４００から受け取ったデータを交換制御プロセッサ（ＳＣＰ）２２０とコンパチブルなフレーム又はプロトコルフォーマットに変換するインターフェースを提供する。好ましくは、プライベートネットワーク７００を介して無線基地局４００から受信したデータは、伝送速度４．８Ｋｂ／ｓで伝送され、またＳＣＰ２２０は６４Ｋｂ／ｓで動作する。ＳＣＰ２２０はファイル（データ及び又はプログラム）を蓄積し且つ航空機ユニット５００へ分配するファイル蓄積兼分配サーバである。ＳＣＰ２２０に蓄積されたファイルは好ましくは航空機ユニット５００に搭載の航空機応用ソフトを更新するために使用される。登録データベース２３０はＳＣＰ２２０に結合されて航空機ユニット５００に関する情報を蓄積する。この情報は登録手続の間に（後述）航空機ユニット５００により提供され、そして航空機ユニット５００への次のファイル伝送中に使用される。
各無線基地局４００はアンテナ４１０に結合されており、信号を発信し或いは受信する。好ましくはアンテナ４１０は当業者に周知の典型的なセルサイトアンテナと同一である。無線基地局４００から発信された信号は、航空機ユニット５００が通過するセルを形成する。無線基地局４００は複数の無線機５１０を介して航空機ユニット５００と交信する。
航空機ユニット５００の各無線機５１０は２個の送受機を含むので、２つのチャンネルを介して無線基地局４００と交信できる。無線機５１０が受けた信号はベースバンドに変換され、Ｅ−１リンクを介して通信ユニット５２０に中継される。一旦送信データが受信されると、通信ユニット５２０は受信したデータを適当な宛先の航空機搭載のユニット５００に中継する。宛先アドレスは、好ましくは、送信されたデータに続くメッセージ中の、ＳＣＰ２２０から無線基地局４００を経て通信ユニット５２０に送られた制御情報に従って決定される。無線基地局４００から受け取ったデータの形式に依存して、宛先は無線機５１０、通信ユニット５２０、搭載サーバ５３０、又は電話器５４０である。
搭載サーバ５３０はローカル地域サーバに類似しており、電話機５４０に関連した管理動作を行う。搭載サーバ５３０は電話器５４０に通信ユニット５２０から受け取った信号を分配する。搭載サーバ５３０は又電話機５４０により消費される電力を管理する。航空機ユニット５００は小型飛行機のように単一電話を有しても良いし、商用航空機のように多数の電話器を有しても良い。航空機ユニット５００が商用航空機に搭載される場合には、少なくとも２個の搭載サーバが設けられ、各サーバ５３０は対応した一組の電話器を制御する。例えば、各サーバ５３０は航空機の中央通路の対応した側に位置した電話器５４０を制御する。
装置１００は又、航空機ユニット５００がデータを地上に送信することを許容する。通信ユニット５２０はデータを無線機５１０に中継し、無線機はデータを無線基地局４００に送信する。そこから、データは地上交換局２００、ネットワーク管理センタ３００、又はＰＳＴＮ６００に伝送できる。航空機ユニット５００から伝送されたデータは異なった形式のものでもよい。例えば航空機ユニット５００はその搭載通信手段に関する情報を伝達できる。この型の情報は請求記録、障害ログ、又は呼量に関する情報を含みうる。航空機ユニット５００はまた通信に関係した航空機ユニット５００の構成部分の状態に関する制御情報を伝送することもできる。最期に航空機ユニット５００は電話器５４０の使用者によるＰＳＴＮへの電話コールを伝送する。
Ｃ．航空機ユニット５００の登録
本発明の装置では、航空機ユニット５００は地上交換局２００に登録される。登録情報は各登録された航空機ユニット５００が複数の無線基地局４００を通過する際に、航空機ユニットを追跡するのに使用される。このようにして、地上交換局２００は任意の時点にどの無線基地局４００が各航空機ユニット５００と交信状態にあるかを知る。航空機ユニット５００は好ましくはそれが交信している無線基地局４００が切り替わるたびに登録される。
図２は航空機ユニット５００を地上交換局２００に登録する方法を示すフロー図である。図２に示したように、各航空機ユニット５００は登録情報を地上局２００に送る（段階Ｓ２１０）。登録情報は好ましくは登録しようとしている特定の航空機５００を識別する識別番号と、現に航空機ユニット５００と交信している無線基地局４００と、航空機ユニット５００と以前に交信していた無線基地局４００とである。航空機識別番号は好ましくは各航空機に割り当てられている国際民間航空組織（ＩＣＡＯ）識別番号である。地上交換局２００のＳＣＰ２２０は無線基地局４００を介して各航空機ユニット５００から登録情報を受け取り、それを登録データベース２３０に蓄積するのに適したフォーマットに組織する（段皆Ｓ２２０、Ｓ２３０）。
登録情報を受け取ったら、ＳＣＰ２２０は無線基地局４００を介して航空機ユニット５００に受領確認情報を返送し、登録処理が完了したことを証明する（段階Ｓ２４０）。登録処理を通して、ＳＣＰ２２０はいつでも、装置１００と交信している航空機ユニット５００、各航空機ユニット５００と現に交信している無線基地局４００と、これらの無線基地局４００に関連している航空機ユニット５００の位置を知ることができる。
Ｄ．ファイル転送
図３は地上交換局２００から航空機ユニット５００へファイルを転送するための方法を示すフロー図である。ＳＣＰ２２０に記憶されたファイルは上記のように航空機ユニット５００に搭載された応用ソフトに対する更新である。図３に示したように、地上交換局２００は制御チャンネルを介して航空機ユニット５００に発呼要求を送る（段階Ｓ３１０）。発呼要求は地上交換局２００が転送を要求しているファイルを識別する情報、ファイルの大きさ、及び特定の航空機ユニット５００のＩＣＡＯ番号を含む。しかし、発呼要求を送る前に地上交換局２００は登録データベース２３０にアクセスして、その特定の航空機ユニット５００が現に交信している無線基地局４００を決定する。地上交換局２００は、次にプライベートネットワーク７００を介して無線基地局４００に発呼要求を送る。
航空機ユニット５００に搭載された無線機５１０は発呼要求の伝送を監視する（段階Ｓ３２０）。発呼要求が検出されたら、無線局５１０は複数の通信チャンネルの一つを選択して受信の準備をする（段階Ｓ３３０）。装置１００において、無線機５１０は当業者に周知のチャンネル選択アルゴリズムを使用して転送に最良のチャンネルを選択する。
航空機ユニット５００は次に確認信号を無線基地局４００を経て地上交換局２００へ送り返す（段階Ｓ３４０）。確認信号は特定の航空機ユニット５００に対するＩＣＡＯ番号を含み、航空機ユニット５００がファイルを受信できるかどうかを指示する。もしも確認信号が航空機ユニット５００がファイルを受信できることを指示しているなら、地上交換局２００は選択されたチャンネルを経由してファイルを伝送する（段階Ｓ３５０）。無線機５１０はこれを受信し、その情報を通信ユニット５２０へ中継し、ユニット５２０はそのデータの宛先を決定する。上記のように、アドレスの宛先は好ましくはデータ転送に続くメッセージ中で送信されるが、他のアドレス形式も同様に使用できる。地上交換局２００がファイル転送を完了すると、通信ユニット５２０は航空機ユニット５００上の意図された宛先に中継する（段階Ｓ３６０）。
本発明の装置１００は更にデータを複数の航空機ユニット５００へのバッチ処理又はプッシュ処理により同時に転送することができる。複数の航空機ユニット５００へのバッチ処理は装置１００に登録されている全て又は選択された組の航空機ユニット５００へのバッチ処理であり得る。図４は航空機ユニット５００に搭載の応用ソフトを更新するために使用されるバッチ処理を示すフロー図である。ＳＣＰ２２０は転送されるファイルを受け取るべき航空機ユニット５００へのバッチ処理のリストを作成し（段階Ｓ４１０）、次いで発呼要求を無線基地局４００を介して各航空機ユニット５００に送る。送信される発呼要求は段階Ｓ３１０におけるものと同様であるが、ただし、各発呼要求はバッチファイル中に含まれている対応した航空機ユニット５００のＩＣＡＯ番号を含むように修正されている点で異なる。送信される発呼要求は段階Ｓ３１０におけるものと同様であるが、ただし、各発呼要求はバッチファイル中に含まれている対応した航空機ユニット５００のＩＣＡＯ番号を含むように修正されている点で異なる。
装置１００に登録されているがバッチファイルには登録されていない航空機５００も発呼要求を受信するが、発呼要求に含まれているＩＣＡＯ番号により識別される航空機５００のみが応答する。応答する航空機ユニット５００は次に確認信号を地上交換局２００へ戻し（段階Ｓ４３０）、地上交換局２００は確認信号がその航空機ユニット５００が受信できることを示している場合には航空機ユニット５００に転送を開始する（段階Ｓ４４０）。通信ユニット５２０は次に受信したデータを航空機ユニット５００搭載の適正な宛先に前述の仕方で中継する。バッチ処理を通じて、装置１００は複数の航空機ユニット５００搭載の応用ソフトを同時に更新する。
図５は航空機ユニット５００からファイルを地上交換局２００又はネットワーク管理センタ３００に転送する処理のフロー図である。上記のように、航空機ユニット５００から転送されるファイルは、航空機ユニット５００の搭載通信ハードウエアに関する通信システム又は診断の請求記録又は障害ログを含んでいる。図５のように、通信ユニット５２０は発呼要求を対応した無線基地局４００を介して、地上交換局２００又はネットワーク管理センタ３００に送る（段階Ｓ５１０）。
地上交換局２００又はネットワーク管理センタ３００は次に航空機ユニット５００に確認信号を送り返す（段階Ｓ５２０）。送られた確認信号を受信すると、無線機５１０は上述した方法で通信チャンネルを選択する（段階Ｓ３３０）。航空機ユニット５００は次いでその選択したチャンネルを経由してファイルを地上交換局２００又はネットワーク管理センタ３００に転送する（段階Ｓ５４０）。ネットワーク管理センタ３００へ転送されるファイルについては、ファイルは地上交換局２００へ先ず送られ、そこから次いでネットワーク管理センタ３００へ中継される。ネットワーク管理センタ３００により受信されるファイルは次にそこに蓄積されそれぞれの航空機ユニット５００のＩＣＡＯ番号に従ってインデックスを付される。
１．データの完全性制御
本発明の装置１００はまた誤り補正を行う。各データを航空機ユニット５００へ転送後、ＳＣＰ２２０は通信ユニット５２０に「ダウンロード完了」信号を送り、データ転送の完了を知らせる。ＳＣＰ５２０は次に通信ユニット５２０との通信リンクを切断し、以前のデータ転送に対する状況報告を発生する。状況報告は転送が完了したか、もし完了していなければ情報に誤りがあるかの情報を含む。後者の場合には、装置１００は後でデータの転送を再試行する。航空機ユニット５００からは前のデータ転送で使用されたものとは異なる無線基地局４００に相当する新たな位置に移動している可能性があるので、異なったＳＣＰ２２０及び異なった無線基地局４００がこの第２の転送中に使用される。複数ファイルの転送が試行される場合には、ＳＣＰ２２０は、登録データベース２３０内にその航空機ユニット５００に対するＳＣＰ２２０により試みられた最も直近の成功したデータ転送中に使用された無線基地局４００の記録を保持している。
通信ユニット５２０はまた資源メッセージをネットワーク管理センタ３００に送る。資源メッセージは航空機ユニット５００の更新された応用ソフトに関する現状情報を提供する。この現状情報は次いで応用ソフトが正しく更新されたかどうかを決定するために使用できる。もしも応用ソフトが正しく更新されていなければ、地上交換局２００はそのデータを航空機ユニット５００に送る。
装置１００では追加の誤り補正方法を使用してもよい。例えばＳＣＰ２２０は当業界に周知の周期的冗長度チェック（ＣＲＣ）法、前方誤り補正（ＦＥＣ）法を使用できる。ＣＲＣ法ではＳＣＰ２２０は転送されたデータに基づいて補正番号を発生し、これを通信ユニット５２０に送り、この通信ユニット５２０は受信したデータに応じて補正番号を発生する。これらの２つの補正番号が互いに一致するかどうかに従って、通信ユニット５２０は誤りが起きたかどうかを決定できる。
通信ユニット５２０はまた転送中の電力損失又は無線信号の喪失を検出する制御回路を有することができる。この場合に、通信ユニット５２０はＳＣＰ２２０に信号の喪失又は電力損失により受信できなかったデータを再送するように要求する。
Ｅ．結論
当業者には本発明の装置及び方法日本発明の思想から逸脱することなく多くの変形例や修正例が可能なことは明らかであろう。本発明は本発明の特許請求の範囲に入る修正例又は変形例又はその均等物に及ぶものである。
【図１】
0004607260.tif 000002
【図２】
0004607260.tif 000003
【図３】
0004607260.tif 000004
【図４】
0004607260.tif 000005
【図５】
0004607260.tif 000006